(57)【特許請求の範囲】
【請求項１】
ダブル幅の新聞紙用の連続紙の両面に、この連続紙の走行路の両側に印刷ヘッドを対向してなるデジタル印刷機にて、連続紙の幅方向に４面の印刷面を連続紙の両面で相互に対応させると共に、印刷方向に複数列ずつ印刷内容を異ならせた横印刷列を繰り返し印刷し、
ついで、上記連続紙の幅を２分割して新聞の見開き幅にすると共に、これを重ねてから各横印刷列ごとに新聞の縦寸法に切断して上記繰り返し印刷された横印刷列ごとにセット出しし、
各セットごとに見開き状に折り目を入れる
ことを特徴とする新聞の製作方法。
【請求項２】
デジタル印刷機の印刷ヘッド数を印刷方向に適宜増加可能にしたことを特徴とする請求項１記載の新聞の製作方法。
【発明の詳細な説明】
【０００１】
【発明の属する技術分野】
本発明は、１６ページ、３２ページ、４０ページ等多数のページ数を有する新聞の製作方法に関するものである。
【０００２】
【従来の技術】
従来のこの種の新聞は輪転機にて例えば、ダブル幅の連続紙に印刷され、その後スリッタにて長手方向に紙を切り、それぞれの紙を重ねてからフォーマにて長手方向に２つ折りし、ついで所定の長さに裁断、折り出し等の工程にて製作されている。
【０００３】
図４はその一例を示すもので、これはＢ−Ｂ型のオフセット輪転機の場合であり、版胴ａには、例えば、軸方向にＡ，Ｂ，Ｃ，Ｄの４ページの印刷面を有する横印刷列を、そして円周方向にこの横印刷列を２列有する刷版を取付け、シリンダ胴（ブラケット胴ｂ）の１回転ごとに連続紙ｃの表面と裏面のそれぞれに１６ページずつの印刷がなされるようになっている。このときの連続紙ｃの幅は、４ページ新聞を開いたときの横幅の倍、すなわち１６２５ｍｍ（６４インチ）幅のものを用いる。
【０００４】
その後スリッタｄにて連続紙ｃを幅方向中間で長手方向にカットし、ターンバｅを用いた丁合部にて重ね合わせ、フォーマｆにて長手方向に２つ折りし、さらに、各列で切断することにより２種類の８ページの新聞が順次交互にできるようになっている。
【０００５】
【発明が解決しようとする課題】
上記版胴式の印刷ユニットを用いて新聞を製作する場合、１つの印刷ユニットでの印刷ページ数は、例えば、上記の例のように８ページであるとすると、１６ページ、３２ページ、４０ページの新聞を印刷するには、上記８ページ印刷のユニットを２つ、３つ、４つと増加させた、２ユニット式、３ユニット式、あるいは４ユニット式のものを用いなければならない。
【０００６】
図５に示すものは４ユニット式のもので、各印刷ユニットｇ１，ｇ２，ｇ３，ｇ４にて印刷された各連続紙ｃのそれぞれはスリッタ装置ｈにて２分割された後、集合ユニットｉのターンバー群にて丁合され、フォーマｆにて２つ折りされ、折り装置ｊにて折りたたまれるようになっている。
【０００７】
このように、従来の版胴式の印刷ユニットを用いて新聞を製作する場合、ページ数が増加するごとに、印刷ユニットを増加させる必要があり、コスト、スペース面で不利である。特に、図５に示したような４ユニット式の輪転印刷機は大型装置となり、広いスペースを必要とする上に、極めて高価になる。
【０００８】
また、後からページ数を増やすなどの対応は、設備スペースに制約がある場合困難である。また、多色刷りでは、上下方向の紙パスが非常に長いため、紙通しだけで、用紙と時間にロスが生じ、さらにテンションが安定し、色間見当が合うまでの損紙が多く、小ロットでは採算が合わない。
【０００９】
本発明は上記のことにかんがみなされたもので、ページ数及び色数が異なる新聞を、１つの印刷ユニットにて対応でき、また、小ロット印刷でも採算がとれる新聞の製作方法を提供することを目的とするものである。
【００１０】
【課題を解決するための手段】
上記目的を達成するために、本発明に係る新聞の製作方法は、ダブル幅の新聞紙用の連続紙の両面に、この連続紙の走行路の両側に印刷ヘッドを対向してなるデジタル印刷機にて、連続紙の幅方向に４面の印刷面を連続紙の両面で相互に対応させると共に、印刷方向に複数列ずつ印刷内容を異ならせた横印刷列を繰り返し印刷し、ついで、上記連続紙の幅を２分割して新聞の見開き幅にすると共に、これを重ねてから各横印刷列ごとに新聞の縦寸法に切断して上記繰り返し印刷された横印刷列ごとにセット出しし、各セットごとに見開き状に折り目を入れることにより上記印刷サイクル分のページ数の新聞を製作するようにしている。そしてこの新聞の製作方法において、デジタル印刷機の印刷ヘッド数を印刷方向に適宜増加可能にした。
【００１１】
【発明の実施の形態】
本発明の実施の形態を、例えば、２つ折り３２ページの新聞を製作する例にて説明する。図１はその実施の形態を示すもので、図中１はダブル幅の新聞紙用の連続紙であり、この連続紙１は印刷部の両面印刷機２にて両面印刷され、乾燥機３を通過することにより乾燥され、ついでスリッタ４にて長手方向に２分割され、図示しないターンバーを用いた丁合部５にて２枚重ねられてからカッタ装置６にて所定の長さ寸法（新聞の縦寸法）に切断されてセット出しコンベヤ７上に積み重ね状に排出されるようにしている。
【００１２】
両面印刷機２は連続紙１が略垂直状に走行する部分に設けられている。この両面印刷機２はインクジェットプリンタ、電子写真印刷機等、刷版を用いないで、かつオンデマンド等の制御装置により印刷内容を印刷面ごとに、ランダムに変更可能であるデジタル印刷機が用いられている。
【００１３】
両面印刷機２の印刷ヘッド２ａ，２ｂは連続紙１の各面に対向して少なくとも１個ずつ設けられるが、印刷容量に応じて、及び多色印刷等の場合には、印刷方向に２〜４個ずつ等適宜増加する。
【００１４】
上記各面に対向する印刷ヘッド２ａ，２ｂは、必ずしも印刷方向の同一位置に対向設置する必要はなく、両ヘッドにて両面の印刷面が対応するように印刷タイミングを制御することにより印刷方向にずれていてもよい。
【００１５】
両面印刷機２では、連続紙１の一面に、これの幅方向にそれぞれＡ〜Ｄ、Ｅ〜Ｈ、Ｉ〜Ｌ、Ｍ〜Ｐの４面ずつの印刷画像を有する横印刷列を印刷方向に４列ずつ繰り返し印刷し、また連続紙１の他面に、この一面の各横印刷列の裏面に相当する４面ずつの印刷画像を有する横印刷列を印刷方向に４列ずつ繰り返し印刷する。この印刷方向４列ずつの横印刷列は１サイクルとなり、この印刷サイクルの印刷は必要部数分だけ繰り返し行われる。
【００１６】
このように、連続紙１の両面に印刷された画像は連続紙１が乾燥機３を通ることにより乾燥される。そしてダブル幅の連続紙１はスリッタ４にて２分割されて新聞の見開き幅となってから丁合部５にて２枚重ねとなり、カッタ装置６にて新聞の縦寸法に切断されて搬送コンベヤ７上に積み重ねられる。
【００１７】
このセット出しコンベヤ７は間欠動作するようになっていて、上記印刷の１サイクル分、すなわち、３２ページ分（８枚）積み重なった時点でわずかに移動して３２ページ分ごとにうろこ状になって搬送し、あるいは所定ストローク、例えば搬送コンベヤの終端まで一気に搬送するようにして、新聞１部ごとにセット出しされる。
【００１８】
この実施の形態において、製作しようとする新聞のページ数が例えば１６ページの場合には、繰り返し印刷する１サイクルの印刷方向の横印刷列を２列にし、４０ページの場合には上記１サイクルの印刷方向の横印刷列を５列にする。
【００１９】
また、この実施の形態では、ダブル幅の連続紙１を用いた例を示したが、これはシングル幅のものを用いてもよい。この場合の両面印刷機２における各横印刷列の印刷面の数は１／２になることから、１サイクルの横印刷列数はダブル幅の場合の２倍となる。
【００２０】
図２はセット出しの他例を示すもので、カッタ装置６にて切断されたカット紙１ａは本機速度Ｖ１よりわずかに（５％程度）速いＶ２の速度で搬送ベルト装置８にて間欠羽根車装置９上に１枚ずつ搬送する。カット紙１ａは下流側の羽根車９ａの垂直姿勢の羽根に突き当たり、この下流側の羽根車９ａと上流側の羽根車９ｂのそれぞれの対向する水平姿勢の羽根の上に堆積される。１０ははたき、１１はガイドベルトである。
【００２１】
このとき、間欠羽根車装置９上に堆積されるカット紙１ａは搬送ベルト装置８部に設けたセンサ１２にてカウントされ、設定枚数、例えば３２ページ新聞用に、２枚重ねのカット紙１ａが４部通過すると、サーボモータ１３が瞬時に間欠羽根車装置９を駆動して両羽根車９ａ，９ｂをそれぞれの対向する水平状の羽根が下方へ移動するように９０度回転させる。これにより、１セットごとに間欠コンベヤ装置１４上に落下する。
【００２２】
間欠コンベヤ装置１４はサーボモータ１５により間欠駆動され、これの間欠駆動により、間欠コンベヤ装置１４上に落下されたセット紙１ｂはこれの下流側に設けたチョッパ折り装置１６の位置まで搬送され、この位置で下動するチョッパブレード１７にて幅方向の１／２で２つ折りされ、一対のチョッパローラ１８にてガイド１９に沿って搬送コンベヤ２０上に排出される。
【００２３】
なお、間欠コンベヤ装置１４には横方向に間隔を有して複数本のタイミングベルト１４ａが用いられ、これの表面にセット紙１ｂを送るための押板１４ｂが設けてある。またチョッパ折り装置１６にはセット紙１ｂを支持する敷板２１が設けてある。
【００２４】
また、上記実施の形態では、カッタ装置６にてカットされたカット紙１ａを間欠コンベヤ装置１４上にセット出しする手段に、図２に示したように間欠回転する一対の羽根車からなる間欠駆動式羽根車を用いた例を示したが、これには、円周方向に多数の羽根を有する連続回転式羽根車を用い、カット紙を回転する羽根車の各羽根間に順次挿入させ、羽根車の回転に従ってカット紙を邪魔板に当接して順次間欠コンベヤ装置上に落下するようにした、公知の連続回転式羽根を用いてもよい。
【００２５】
【発明の効果】
本発明によれば、ダブル幅の新聞紙用の連続紙の両面に、この連続紙の走行路の両側に印刷ヘッドを対向してなるデジタル印刷機にて、連続紙の幅方向に４面の印刷面を連続紙の両面で相互に対応させると共に、印刷方向に複数列ずつ印刷内容を異ならせた横印刷列を繰り返し印刷したことにより、上記印刷サイクル中の横印刷列の印刷方向の数を任意に変えることができ、１組の給紙部と印刷部でもってページ数の異なる、及び色数が異なる新聞を任意に製作することができる。このため、従来の輪転方式のように、ページ数に対応させて印刷ユニットの数を増加させる必要がなく、低コストで、かつ省スペースで新聞を生産できる。
【００２６】
また、デジタル印刷機を用いたことにより、印刷内容を簡単に変えることができ、印刷内容を変えるときに、輪転式の場合のようにいちいち版を替える必要がなく、１ロットの印刷でも採算をとることができる。
【００２７】
さらに、デジタル印刷でコンパクトに多色刷りができるので、紙パスが短くて済み、テンションも安定しやすいため、紙通しや色間見当合わせによる損紙を少なくできる。
【図面の簡単な説明】
【図１】本発明の実施の形態を概略的に示す説明図である。
【図２】本発明の実施の形態におけるセット出し部とチョッパ折り加工部を概略的に示す説明図である。
【図３】図２のＸ矢視図である。
【図４】従来例を概略的に示す説明図である。
【図５】従来の輪転式印刷機を示す正面図である。
【符号の説明】
１…連続紙、１ａ…カット紙、１ｂ…セット紙、２…両面印刷機、２ａ，２ｂ…印刷ヘッド、３…乾燥機、４…スリッタ、５…丁合部、６…カッタ装置、７…セット出しコンベヤ、８…搬送ベルト装置、９…間欠羽根車装置、９ａ，９ｂ…羽根車、１０…はたき、１１…ガイドベルト、１２…センサ、１３，１５…サーボモータ、１４…間欠コンベヤ装置、１４ａ…タイミングベルト、１４ｂ…押板、１６…チョッパ折り装置、１７…チョッパブレード、１８…チョッパローラ、１９…ガイド、２０…搬送コンベヤ、２１…敷板。
【図１】
0004022901.tif 000002
【図２】
0004022901.tif 000003
【図３】
0004022901.tif 000004
【図４】
0004022901.tif 000005
【図５】
0004022901.tif 000006